(57)【要約】      （修正有）【課題】肌と接触する部分がスポンジ材質からなるが、その形状はブラシと同様の形状になっており、ブラシの長所とパフの長所をいずれも備えている肌タッチ用スポンジブラシを提供する。【解決手段】少なくとも一側に収容部１１が備えられたハンドル部１０と、収容部内に一端が挿入され、他端は収容部の外に露出したスポンジ部２０からなり、スポンジ部の他端にはハンドル部から遠くなるほどその厚さが薄くなるように切断された複数のコーティングブレード２１が積み重ねられている構造をなす。これにより、スポンジパフの長所と毛ブラシの長所を併せて持つ効果が得られる。【選択図】図１
0003183221.tif 000002
【実用新案登録請求の範囲】
【請求項１】
少なくとも一側に収容部（１１）が備えられたハンドル部（１０）と、前記収容部（１１）内に一端が挿入され、他端は前記収容部（１１）の外に露出したスポンジ部（２０）とからなり、前記スポンジ部（２０）の他端には、前記ハンドル部（１０）から遠くなるほどその厚さが薄くなるように切断された両側切断面を有する複数のコーティングブレード（２１）が積み重ねられており、各コーティングブレード（２１）の端部には両側切断面が対向するエッジ線（２２）が形成され、各コーティングブレード（２１）の間には隣接した両コーティングブレード（２１）の切断面が対向する峡谷部（２３）が形成されていることを特徴とする肌タッチ用スポンジブラシ。
【請求項２】
前記スポンジ部（２０）の中央には、前記ハンドル部（１０）の上端からエッジ線（２２）までの高さＨ１が相対的に高いコーティングブレード（２１）が配置され、両側の縁部に行くほど前記高さＨ１が低いコーティングブレード（２１）が配置されたことを特徴とする請求項１に記載の肌タッチ用スポンジブラシ。
【請求項３】
前記コーティングブレード（２１）は、円形や楕円形の棒状に押出されたスポンジ成型物を、刃がジグザグ状になっている切断カッターで切断して形成されたことを特徴とする請求項１または２に記載の肌タッチ用スポンジブラシ。
【請求項４】
前記ハンドル部（１０）の中には、塗布物質Ｍを保存することのできる保存空間（１２）が備えられ、前記スポンジ部（２０）には、前記保存空間（１２）から前記峡谷部（２３）へ通る貫通孔（２４）が形成されたことを特徴とする請求項１または２に記載の肌タッチ用スポンジブラシ。
【請求項５】
前記ハンドル部（１０）は、軟質のチューブ状の容器であることを特徴とする請求項４に記載の肌タッチ用スポンジブラシ。
【考案の詳細な説明】
【技術分野】
【０００１】
本考案は、肌タッチ用スポンジブラシに関するもので、さらに詳しく説明すると、少なくとも一側に収容部が備えられたハンドル部と、上記収容部内に一端が挿入され、他端は上記収容部の外に露出したスポンジ部とからなり、上記スポンジ部の他端には、上記ハンドル部から遠くなるほどその厚さが薄くなるように切断された複数のコーティングブレード（Ｃｏａｔｉｎｇ  ｂｌａｄｅ）が積み重ねられている構造をなしているため、スポンジパフ（Ｓｐｏｎｇｅ ｐｕｆｆ）の長所と毛ブラシの長所を併せて持つ肌タッチ用スポンジブラシに関する。
【背景技術】
【０００２】
一般的に、女性が顔に化粧品を塗ったり、患者または赤ちゃんの肌にトラブルが生じないようにパウダー製品を塗ったりするときには、通常、やわらかいブラシやパフ（Ｐｕｆｆ）のような塗布道具を使用する。
【０００３】
先ず、上記化粧用ブラシは、ハンドルの一側に柔らかい動物の毛を一束挿入したもので、大体、筆に似ている構造をなし、このような化粧用ブラシについては、大韓民国特許第５３０４８６号（登録日付２００５年１１月１６日）と、大韓民国実用新案登録第０１６５４８２号（登録日付１９９９年１０月１８日）及び第０４４２１７２号（登録日付２００８年１０月０８日）などに紹介されている。
【０００４】
しかし、このような化粧用ブラシは、肌への触感が柔らかく、塗布物質を満遍なく塗布できるという長所はあるものの、主に動物の毛を使用するため、製造過程がやや複雑で、またコストが高く、使用途中で毛が抜けてしまうことがあるという問題がある。
【０００５】
また、上記化粧用パフは、通常、ラテックスや合成樹脂のような原料を発泡したスポンジ（Ｓｐｏｎｇｅ）を平たく成型したもので、一面にハンドル用のバンド（Ｂａｎｄ）が設けられることもある。因みに、大韓民国実用新案登録第０２０６０６９号（登録日付２０００年０９月２８日）及び第０３９１３８９号（登録日付２００５年０７月２２日）、大韓民国特許公開第２００６−８５５２６号（公開日付２００６．０７．２７．）などでは様々な機能性パフが紹介されている。
【０００６】
このようなパフは、上記ブラシに比べて製造過程が簡単であるという長所はあるものの、肌と接触する部分が平面構造をなしているため、化粧品や粉末を持続的に支持することができず、また肌に満遍なく塗布することも難しいという短所がある。
【０００７】
このように、上記化粧用ブラシとパフは、その用途は同じであるものの、その素材や構造が異なり、これによって相互異なる長短所があって塗布しようとする物質の性質や種類、及び塗布対象によってブラシを使用することもあれば、パフを使用することもある。そこで、大韓民国実用新案登録第２６２４３９号（登録日付２００２年０１月１６日）には、ブラシ及びスポンジを両方とも備えた携帯用ブラシが開示されている。
【考案の概要】
【考案が解決しようとする課題】
【０００８】
そこで、本考案が解決しようとする課題は、肌と接触する部分がスポンジ（Ｓｐｏｎｇｅ）材質からなるが、その形状はブラシと同様の形状になっており、ブラシの長所とパフの長所をいずれも備えている肌タッチ用スポンジブラシを提供することである。
【課題を解決するための手段】
【０００９】
上記のような技術的課題を解決すべく、本考案による肌タッチ用スポンジブラシは、少なくとも一側に収容部が備えられたハンドル部と、上記収容部内に一端が挿入され、他端は上記収容部の外に露出したスポンジ部とからなり、上記スポンジ部の他端には、上記ハンドル部から遠くなるほどその厚さが薄くなるように切断された両側切断面を有する複数のコーティングブレードが積み重ねられており、各コーティングブレードの端部には両側切断面が対向するエッジ線が形成され、各コーティングブレードの間には、隣接した両コーティングブレードの切断面が対向する峡谷部が形成されていることを特徴とする。
【００１０】
また、本考案において、上記スポンジ部の中央には、上記ハンドルの上端からエッジ線までの高さＨ１が相対的に高いコーティングブレードが配置され、両側の周りに行くほど上記高さＨ１が低いコーティングブレードが配置されたことを特徴とする。
【００１１】
さらに、上記コーティングブレードは、円形や楕円形の棒状に押出されたスポンジ成型物を、刃がジグザグ状の切断カッターで切断して形成されたことを特徴とする。
【００１２】
また、上記ハンドル部の中には、塗布物質Ｍを保存することのできる保存空間が備えられ、上記スポンジ部には、上記保存空間から上記峡谷部へ通る貫通孔が形成されたことを特徴とする。
【考案の効果】
【００１３】
本考案による肌タッチ用スポンジブラシは、肌と接触する部分がスポンジ（Ｓｐｏｎｇｅ）材質からなり、その形状はブラシと同様の形状となっており、毛ブラシの長所とスポンジパフの長所をいずれも備えているという効果がある。
【００１４】
すなわち、肌への触感が柔らかく、塗布物質を満遍なく塗布することができ、使用途中で毛が抜けてしまう恐れがないだけでなく、必要に応じてハンドルの内部に塗布物質を保存することのできる保存空間を構成することもできる。
【００１５】
本考案による肌タッチ用スポンジブラシは、顔の化粧をする時や、赤ちゃんや患者の肌にパウダー（Ｐｏｗｄｅｒ）を塗布する時や、理髪室や美容院などで髪の毛を取り落とす時や、その他の家庭用又は産業用の既存の毛ブラシに代える用途として多様に使用されることができる。
【図面の簡単な説明】
【００１６】
【図１】本考案の一実施例によるスポンジブラシの斜視図である。
【図２】図１の正面図である。
【図３】図１の断面図である。
【図４】本考案の他の実施例によるスポンジブラシの斜視図である。
【図５】本考案におけるスポンジ部２０の塗布刃２１を形成するのに使用される切断カッターの構造を説明する図面である。
【図６】本考案のもう１つの実施例によるスポンジブラシの断面図である。
【考案を実施するための形態】
【００１７】
以下、添付の図面を利用して本考案をより詳しく説明すると次の通りである。図１は本考案の一実施例によるスポンジブラシの斜視図、図２は図１の正面図、図３は図１の断面図である。また、図４は本考案の他の実施例によるスポンジブラシの斜視図、図５は本考案におけるスポンジ部２０の塗布刃２１を形成するのに使用される切断カッターの構造を説明する図面、図６は本考案のもう１つの実施例によるスポンジブラシの断面図である。
【００１８】
本考案による肌タッチ用スポンジブラシは、図１乃至図３のように、ハンドル部１０とスポンジ部２０とからなる。
【００１９】
上記ハンドル部１０は、一側に上記スポンジ部２０を挿入、固定できる収容部１１が備えられている通常の形態であって、その断面の形状は、上記スポンジ部２０に対応する形状からなり、プラスチックや木材、鉄材などで作製されることができる。
【００２０】
上記ハンドル部１０において収容部１１のサイズは、ここに挿入されるスポンジ部２０のサイズよりやや小さく形成して、ここに上記スポンジ部２０の一端を強制的に押し入れた後、スポンジ部２０が再度抜けて取れてしまうことのないように、接着剤などを用いて固定することが好ましい。
【００２１】
上記スポンジ部２０は、ラテックスや合成樹脂のような原料を、通常の方法で発泡、成型したスポンジ（Ｓｐｏｎｇｅ）材質からなり、その形状としては、断面が円形、楕円形、四角形、または多角形である短い柱状になっていることが好ましい。
【００２２】
本考案の特徴は、上記ハンドル部１０の外に露出したスポンジ部２０の他端には、上記ハンドル部１０から遠くなるほど厚さが薄くなるように切断された両側切断面を有する複数のコーティングブレード２１（Ｃｏａｔｉｎｇ Ｂｌａｄｅ)が積み重ねられている構造を有するものである。そのため、各コーティングブレード２１の端部には、上記コーティングブレード２１の両側切断面が対向するエッジ線２２が形成され、各コーティングブレード２１の間には隣接した両コーティングブレード２１の切断面が対向するＶ状の峡谷部２３が形成される。
【００２３】
本考案において図１及び図３の実施例は、上記ハンドル部１０とスポンジ部２０がいずれも円柱状からなるスポンジブラシを示したものである。このように、上記スポンジ部２０が円柱状の場合、図２のように、上記コーティングブレード２１は、それぞれエッジ線２２の長さＬが互いに異なるように形成される。
【００２４】
すなわち、上記スポンジ部２０の中央に配置されたコーティングブレード２１は、エッジ線２２の長さＬが相対的に長く、中央から両側の周りに行くほどエッジ線２２の長さＬが短くなる。このように、コーティングブレード２１の端部であるエッジ線２２の長さＬが短くなると、コーティングブレード２１の底部の峡谷部２３の長さも当然短くなる。
【００２５】
一方、図４は、本考案の他の実施例であって、上記コーティングブレード２１の端部、すなわち、エッジ線２２の高さが互いに異なるように形成されたスポンジブラシを示したものである。すなわち、上記スポンジ部２０の中央には、上記ハンドル部１０の上端からエッジ線２２までの高さＨ１が相対的に高いコーティングブレード２１が配置され、両側の周りに行くほど上記高さＨ１がエッジ線２２の高さＨ１が低く配置する構造をなす。
【００２６】
この際、上記ハンドル部１０の上端から峡谷部２３までの高さＨ２も上記エッジ線２２の高さＨ１と同様に、スポンジ部２０の中央を高く、両側の周りを低く変えることもでき、上記エッジ線２２の高さＨ１とは関係なく、峡谷部２３の高さＨ２を常に一定にすることもできる。図４は、上記峡谷部２３の高さＨ２がエッジ線２２の高さＨ１に連れて変わる場合を示したもので、この場合、各コーティングブレード２１自体の高さＨ３は全て同一である。
【００２７】
さらに、図示してはいないが、上記エッジ線２２の高さＨ１のみ変わり、峡谷部２３の高さＨ２は変わらず一定である場合、上記エッジ線２２の高さＨ１によって各コーティングブレード２１自体の高さＨ３が変わることになる。
【００２８】
本考案の特徴である上記コーティングブレード２１は、刃がジグザグ状になっている切断カッターを使用して、円形や楕円形の棒状に押出されたスポンジ成型物を切断して形成される。図５は、本考案のコーティングブレード２１を形成するのに使用される切断カッターを例示したものである。図５（Ａ）のようなジグザグ状の刃の端線が直線で配置された切断カッターを使用すると、図１のように、エッジ線２２の高さＨ１が一定なコーティングブレード２１が形成される。また、図５（Ｂ）のようなジグザグ状の刃の端線が曲線で配置された切断カッターを使用すると、図４のように、エッジ線２２の高さＨ１が異なるコーティングブレード２１が形成される。
【００２９】
この際、上記スポンジ成型物は弾性体であるため、切断カッターでこれを切断すると、スポンジ成型物の中に刃が浸透していない状態で、刃により上記成型物が押されて収縮し、それ以上収縮ができなくなると、そこからスポンジ成型物の切断が行われる。従って、上記コーティングブレード２１は、図１及び図２のように、エッジ線２２の中央部分は低く、周辺部分は高くなるように、緩い曲線をなすように切断される。また、上記コーティングブレード２１の胴体部分もその中間部は厚さが相対的に薄く、周辺部はがより厚く切断される。
【００３０】
このように、本考案では上記コーティングブレード２１の形状が、まるで水掻きのように、エッジ線２２は緩い曲線をなし、同時にコーティングブレード２１の胴体の厚さも中央部より周辺部がより厚く形成される特徴があるため、結果として、上記コーティングブレード２１の肌への触感と耐磨耗性が大きく向上する効果を奏する。
【００３１】
一方、図６は、本考案のもう１つの実施例であって、ハンドル部１０の中に化粧品やパウダーなどのような塗布物質を保存することのできる保存空間１２を備え、上記スポンジ部２０には、上記保存空間１２から上記峡谷部２３へ通る貫通孔２４が形成されたスポンジブラシを示したものである。このようにすると、上記保存空間１２の内部に化粧品やパウダー、医薬品などの塗布物質Ｍを保存することができる。
【００３２】
この際、上記ハンドル部１０の保存空間１２を軟質のチューブ材質で構成することもできる。このようにすると、使用者が上記保存空間１２を手で押してその中に保存された塗布物質Ｍを、貫通孔２４を通じて峡谷部２３側に押し出した後、コーティングブレード２１をこすって上記塗布物質Ｍを所望の部位に便利に塗布することができる。
【００３３】
また、上記保存空間１２には、図６のように、その中に塗布物質Ｍをさらに補充することのできる注入口１３と、これを塞いだ蓋１４を設けることもでき、図示されてはいないが、上記ハンドル部１０の上端にスポンジ部２０を保護する保護キャップを別途に設けることもできる。
【００３４】
本考案による肌タッチ用スポンジブラシの使用方法は、先ず、上記コーティングブレード２１に予め用意された塗布物質を付けた後、上記エッジ線２２と交差する方向に肌を擦る。このようにすると、複数層に重なったコーティングブレード２１が連続して肌と摩擦するため、各コーティングブレード２１に付いている塗布物質を満遍なく肌に塗布することができる。
【００３５】
また、上記塗布物質がコーティングブレード２１とコーティングブレード２１との間の峡谷部２３に挟まれて、上記コーティングブレード２１を肌に擦ると、少しずつエッジ線２２側へ流れ出し、肌に持続的に塗布される効果がある。
【００３６】
以上、いくつかの実施例を挙げて本考案を詳しく説明したが、上記実施例によって本考案の保護範囲が限定されるものではない。必要に応じて、上記ハンドル部１０に更なる機能を有する新たな構成を追加したり、スポンジ部２０の断面形状、またはコーティングブレード２１の配置構造などを様々に変更することもできる。
【００３７】
例えば、上記ハンドル部１０の収容部１１に保存空間１２を開閉できる蓋を設け、上記蓋の上に上記スポンジ部２０を設けることもでき、また、上記スポンジ部２０に様々な抗菌物質や芳香物質を施すこともできる。しかし、このような設計変更にも関わらず、本考案の技術的な思想がそのまま保たれれば、本考案の保護範囲内にするべきである。
【符号の説明】
【００３８】
１0  ハンドル部
１１  収容部
１２  保存空間
１３  注入口
１４  蓋
２０  スポンジ（Ｓｐｏｎｇｅ）部
２１  コーティングブレード（Ｃｏａｔｉｎｇ ｂｌａｄｅ）
２２  エッジ線（Ｅｄｇｅ ｌｉｎｅ）
２３  峡谷部
２４  貫通孔
Ｈ１、Ｈ２、Ｈ３  高さ
Ｌ  長さ
Ｍ  塗布物質
【図１】
0003183221.tif 000003
【図２】
0003183221.tif 000004
【図３】
0003183221.tif 000005
【図４】
0003183221.tif 000006
【図５】
0003183221.tif 000007
【図６】
0003183221.tif 000008